(57)【要約】【課題】回数券を簡単に使用可能な電子回数券使用システム、制御プログラム及び情報記憶媒体を提供する。【解決手段】電子回数券使用システム１００は、利用者が携行する携帯端末３と、リーダライタ５を有する改札ゲート１とを備え、リーダライタ５は、出場時に携帯端末３と通信することで携帯端末３に記憶された入場情報を読み取って、入場情報と、このリーダライタ５の設置位置に関する出場情報とから乗車情報を取得する乗車情報取得部５１と、携帯端末３に記憶された電子回数券情報を使用可能か否かを判断する回数券使用判断部５３と、電子回数券情報の使用を決定した場合には、携帯端末３の電子回数券情報を使用し、使用可能回数を更新する回数券更新部５４とを備える。ここで、回数券使用判断部５３は、取得した乗車情報が携帯端末３に記憶されている電子回数券情報に合致するものであると判断された場合に、電子回数券情報の使用を決定する。【選択図】図１
2015082232.tif 000002
【特許請求の範囲】
【請求項１】
交通手段で用いる交通運賃に関する情報として、使用可能回数を含む電子回数券情報を記憶し、利用者が携行する情報記憶媒体と、
リーダライタを有するゲートと、
を備える電子回数券使用システムであって、
前記リーダライタは、
出場時に前記情報記憶媒体と通信することにより、前記情報記憶媒体に記憶された入場情報を読み取って、前記入場情報と、このリーダライタの設置位置に関する情報を有する出場情報とから、利用区間及び利用運賃のうち少なくともいずれかに関する情報である乗車情報を取得する乗車情報取得手段と、
前記情報記憶媒体に記憶された前記電子回数券情報を、使用可能か否かを判断する回数券使用判断手段と、
を備え、
前記回数券使用判断手段は、
前記乗車情報取得手段が取得した乗車情報が、前記情報記憶媒体に記憶されている前記電子回数券情報に合致するものであるか否かを判断する合致判断手段と、
前記合致判断手段により、前記乗車情報が前記電子回数券情報に合致するものであると判断された場合に、前記電子回数券情報の使用を決定する回数券使用決定手段と、
を有し、
前記リーダライタは、前記回数券使用判断手段により前記電子回数券情報の使用を決定した場合には、前記電子回数券情報を使用し、前記情報記憶媒体の前記電子回数券情報の使用可能回数を更新する回数券更新手段を備えること、
を特徴とする電子回数券使用システム。
【請求項２】
請求項１に記載の電子回数券使用システムにおいて、
前記情報記憶媒体は、前記交通運賃に関する情報として、さらにチャージ金額情報を記憶し、
前記リーダライタは、前記回数券使用判断手段が前記電子回数券情報の使用を決定しなかった場合には、前記チャージ金額情報を使用し、前記情報記憶媒体の前記チャージ金額情報を更新するチャージ金額更新手段を備えること、
を特徴とする電子回数券使用システム。
【請求項３】
請求項１又は請求項２に記載の電子回数券使用システムにおいて、
前記情報記憶媒体に記憶されている前記電子回数券情報には、有効期限を含み、
前記リーダライタの前記回数券使用決定手段は、前記合致判断手段により、前記乗車情報が前記電子回数券情報に合致するものではないと判断された場合であっても、前記電子回数券情報に含む有効期限までの残り期間に応じて、前記電子回数券情報の使用を決定すること、
を特徴とする電子回数券使用システム。
【請求項４】
請求項３に記載の電子回数券使用システムにおいて、
前記リーダライタは、出場時において、使用履歴を前記情報記憶媒体に書き込む履歴書込手段を備え、
前記リーダライタの前記回数券使用判断手段は、
前記合致判断手段により、前記乗車情報が前記電子回数券情報に合致するものではないと判断された場合に、前記使用履歴に基づいて電子回数券の使用頻度を分析し、前記電子回数券情報に含む有効期限、使用可能回数及び使用頻度に基づいて、前記電子回数券情報を使用するか否かを判断する履歴判断手段を有し、
前記回数券使用決定手段は、前記履歴判断手段により、前記電子回数券情報を使用すると判断された場合に、前記電子回数券情報の使用を決定すること、
を特徴とする電子回数券使用システム。
【請求項５】
請求項１から請求項４までのいずれかに記載の電子回数券使用システムにおいて、
前記情報記憶媒体に記憶されている前記電子回数券情報には、利用可能運賃情報を含み、
前記乗車情報は、利用運賃に関する情報であり、
前記リーダライタの前記回数券使用決定手段は、前記合致判断手段により、前記乗車情報が前記電子回数券情報に合致するものではないと判断された場合に、前記乗車情報が前記電子回数券情報に含む利用可能運賃情報より高いことに応じて、前記電子回数券情報の使用を決定すること、
を特徴とする電子回数券使用システム。
【請求項６】
請求項１から請求項４までのいずれかに記載の電子回数券使用システムにおいて、
前記情報記憶媒体に記憶されている前記電子回数券情報には、利用可能区間情報を含み、
前記乗車情報は、利用区間に関する情報であり、
前記リーダライタの前記回数券使用決定手段は、前記合致判断手段により、前記乗車情報が前記電子回数券情報に合致するものではないと判断された場合であっても、所定の条件に応じて、前記電子回数券情報の使用を決定すること、
を特徴とする電子回数券使用システム。
【請求項７】
請求項１から請求項６までのいずれかに記載の電子回数券使用システムにおいて、
前記情報記憶媒体は、前記交通運賃に関する情報として、さらに電子定期券情報を記憶し、
前記リーダライタは、
前記情報記憶媒体に前記電子定期券情報を記憶している場合には、その電子定期券情報のみの使用が可能か否かを判断する定期券判断手段を備え、
前記回数券使用判断手段は、前記定期券判断手段により前記電子定期券情報のみの使用が可能ではないと判断したことに応じて、前記情報記憶媒体に記憶された前記電子回数券情報を、使用可能か否かを判断すること、
を特徴とする電子回数券使用システム。
【請求項８】
交通手段で用いる交通運賃に関する情報として、使用可能回数を含む電子回数券情報及びチャージ金額情報を記憶する情報記憶媒体を携行する利用者が、前記情報記憶媒体を読み取らせるゲートが備えるコンピュータであるリーダライタに記憶された制御プログラムであって、
前記リーダライタを、
前記利用者の出場時に前記情報記憶媒体と通信することにより、前記情報記憶媒体に記憶された入場情報を読み取る読取手段と、
前記読取手段により読み取った前記入場情報と、このリーダライタの設置位置に関する情報を有する出場情報とから、利用区間又は利用運賃に関する情報である乗車情報を取得する乗車情報取得手段と、
前記情報記憶媒体に記憶された前記電子回数券情報を、使用可能か否かを判断する回数券使用判断手段と、
して機能させ、
前記回数券使用判断手段を、
取得した前記乗車情報が前記情報記憶媒体に記憶されている前記電子回数券情報に合致するものであるか否かを判断する合致判断手段と、
前記合致判断手段により、前記乗車情報が前記電子回数券情報に合致するものであると判断された場合に、前記電子回数券情報の使用を決定する回数券使用決定手段と、
して機能させ、
前記リーダライタを、
前記回数券使用判断手段が前記電子回数券情報の使用を決定した場合には、前記電子回数券情報を使用し、前記情報記憶媒体の前記電子回数券情報の使用可能回数を更新する回数券更新手段と、
前記回数券使用判断手段が前記電子回数券情報の使用を決定しなかった場合には、前記チャージ金額情報を使用し、前記情報記憶媒体の前記チャージ金額情報を更新するチャージ金額更新手段と、
して機能させること、
を特徴とする制御プログラム。
【請求項９】
交通手段で用いる交通運賃に関する情報として、使用可能回数を含む電子回数券情報を記憶する設定情報記憶部を備え、利用者が携行する情報記憶媒体であって、
前記交通運賃に関する情報を設定するための設定画面を出力する設定画面出力部と、
前記設定画面出力部により出力された前記設定画面における入力を受け付けて、前記設定情報記憶部を更新する設定情報更新部と、
を備えること、
を特徴とする情報記憶媒体。
【請求項１０】
請求項９に記載の情報記憶媒体において、
前記情報記憶媒体は、携帯端末であり、
前記設定情報記憶部は、セキュアな記憶領域であること、
を特徴とする情報記憶媒体。
【発明の詳細な説明】
【技術分野】
【０００１】
本発明は、電子回数券使用システム、制御プログラム及び情報記憶媒体に関する。
【背景技術】
【０００２】
従来、電車等の交通機関の利用に要する交通運賃を、携帯電話機を利用して徴収する方法が提案されている（例えば、特許文献１）。
【先行技術文献】
【特許文献】
【０００３】
【特許文献１】特開２００３−７７０１９号公報
【発明の概要】
【発明が解決しようとする課題】
【０００４】
特許文献１に記載の方法は、同じルートの複数回利用の場合に、回数券の値段等に換算して各種割引運賃を適用可能なものであったが、後から処理をするものであり、処理が煩雑であった。
【０００５】
そこで、本発明は、回数券を簡単に使用可能な電子回数券使用システム、制御プログラム及び情報記憶媒体を提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、交通手段で用いる交通運賃に関する情報として、使用可能回数を含む電子回数券情報を記憶し、利用者が携行する情報記憶媒体（３，３６ａ）と、リーダライタ（５）を有するゲート（１）と、を備える電子回数券使用システム（１００）であって、前記リーダライタは、出場時に前記情報記憶媒体と通信することにより、前記情報記憶媒体に記憶された入場情報を読み取って、前記入場情報と、このリーダライタの設置位置に関する情報を有する出場情報とから、利用区間及び利用運賃のうち少なくともいずれかに関する情報である乗車情報を取得する乗車情報取得手段（５１）と、前記情報記憶媒体に記憶された前記電子回数券情報を、使用可能か否かを判断する回数券使用判断手段（５３）と、を備え、前記回数券使用判断手段は、前記乗車情報取得手段が取得した乗車情報が、前記情報記憶媒体に記憶されている前記電子回数券情報に合致するものであるか否かを判断する合致判断手段（５３ａ）と、前記合致判断手段により、前記乗車情報が前記電子回数券情報に合致するものであると判断された場合に、前記電子回数券情報の使用を決定する回数券使用決定手段（５３ｃ）と、を有し、前記リーダライタは、前記回数券使用判断手段により前記電子回数券情報の使用を決定した場合には、前記電子回数券情報を使用し、前記情報記憶媒体の前記電子回数券情報の使用可能回数を更新する回数券更新手段（５４）を備えること、を特徴とする電子回数券使用システムである。
第２の発明は、第１の発明の電子回数券使用システム（１００）において、前記情報記憶媒体（３，３６ａ）は、前記交通運賃に関する情報として、さらにチャージ金額情報を記憶し、前記リーダライタ（５）は、前記回数券使用判断手段（５３）が前記電子回数券情報の使用を決定しなかった場合には、前記チャージ金額情報を使用し、前記情報記憶媒体の前記チャージ金額情報を更新するチャージ金額更新手段（５５）を備えること、を特徴とする電子回数券使用システムである。
第３の発明は、第１の発明又は第２の発明の電子回数券使用システム（１００）において、前記情報記憶媒体（３，３６ａ）に記憶されている前記電子回数券情報には、有効期限を含み、前記リーダライタ（５）の前記回数券使用決定手段（５３ｃ）は、前記合致判断手段（５３ａ）により、前記乗車情報が前記電子回数券情報に合致するものではないと判断された場合であっても、前記電子回数券情報に含む有効期限までの残り期間に応じて、前記電子回数券情報の使用を決定すること、を特徴とする電子回数券使用システムである。
第４の発明は、第３の発明の電子回数券使用システム（１００）において、前記リーダライタ（５）は、出場時において、使用履歴を前記情報記憶媒体（３，３６ａ）に書き込む履歴書込手段（５６）を備え、前記リーダライタの前記回数券使用判断手段（５３）は、前記合致判断手段（５３ａ）により、前記乗車情報が前記電子回数券情報に合致するものではないと判断された場合に、前記使用履歴に基づいて電子回数券の使用頻度を分析し、前記電子回数券情報に含む有効期限、使用可能回数及び使用頻度に基づいて、前記電子回数券情報を使用するか否かを判断する履歴判断手段（５３ｂ）を有し、前記回数券使用決定手段（５３ｃ）は、前記履歴判断手段により、前記電子回数券情報を使用すると判断された場合に、前記電子回数券情報の使用を決定すること、を特徴とする電子回数券使用システムである。
第５の発明は、第１の発明から第４の発明までのいずれかの電子回数券使用システム（１００）において、前記情報記憶媒体（３，３６ａ）に記憶されている前記電子回数券情報には、利用可能運賃情報を含み、前記乗車情報は、利用運賃に関する情報であり、前記リーダライタ（５）の前記回数券使用決定手段（５３ｃ）は、前記合致判断手段（５３ａ）により、前記乗車情報が前記電子回数券情報に合致するものではないと判断された場合に、前記乗車情報が前記電子回数券情報に含む利用可能運賃情報より高いことに応じて、前記電子回数券情報の使用を決定すること、を特徴とする電子回数券使用システムである。
第６の発明は、第１の発明から第４の発明までのいずれかの電子回数券使用システム（１００）において、前記情報記憶媒体（３，３６ａ）に記憶されている前記電子回数券情報には、利用可能区間情報を含み、前記乗車情報は、利用区間に関する情報であり、前記リーダライタ（５）の前記回数券使用決定手段（５３ｃ）は、前記合致判断手段（５３ａ）により、前記乗車情報が前記電子回数券情報に合致するものではないと判断された場合であっても、所定の条件に応じて、前記電子回数券情報の使用を決定すること、を特徴とする電子回数券使用システムである。
第７の発明は、第１の発明から第６の発明までのいずれかの電子回数券使用システム（１００）において、前記情報記憶媒体（３，３６ａ）は、前記交通運賃に関する情報として、さらに電子定期券情報を記憶し、前記リーダライタ（５）は、前記情報記憶媒体に前記電子定期券情報を記憶している場合には、その電子定期券情報のみの使用が可能か否かを判断する定期券判断手段（５２）を備え、前記回数券使用判断手段（５３）は、前記定期券判断手段により前記電子定期券情報のみの使用が可能ではないと判断したことに応じて、前記情報記憶媒体に記憶された前記電子回数券情報を、使用可能か否かを判断すること、を特徴とする電子回数券使用システムである。
第８の発明は、交通手段で用いる交通運賃に関する情報として、使用可能回数を含む電子回数券情報及びチャージ金額情報を記憶する情報記憶媒体（３，３６ａ）を携行する利用者が、前記情報記憶媒体を読み取らせるゲート（１）が備えるコンピュータであるリーダライタ（５）に記憶された制御プログラム（６１）であって、前記リーダライタを、前記利用者の出場時に前記情報記憶媒体と通信することにより、前記情報記憶媒体に記憶された入場情報を読み取る読取手段（５０）と、前記読取手段により読み取った前記入場情報と、このリーダライタの設置位置に関する情報を有する出場情報とから、利用区間又は利用運賃に関する情報である乗車情報を取得する乗車情報取得手段（５１）と、前記情報記憶媒体に記憶された前記電子回数券情報を、使用可能か否かを判断する回数券使用判断手段（５３）と、して機能させ、前記回数券使用判断手段を、取得した前記乗車情報が前記情報記憶媒体に記憶されている前記電子回数券情報に合致するものであるか否かを判断する合致判断手段（５３ａ）と、前記合致判断手段により、前記乗車情報が前記電子回数券情報に合致するものであると判断された場合に、前記電子回数券情報の使用を決定する回数券使用決定手段（５３ｃ）と、して機能させ、前記リーダライタを、前記回数券使用判断手段が前記電子回数券情報の使用を決定した場合には、前記電子回数券情報を使用し、前記情報記憶媒体の前記電子回数券情報の使用可能回数を更新する回数券更新手段（５４）と、前記回数券使用判断手段が前記電子回数券情報の使用を決定しなかった場合には、前記チャージ金額情報を使用し、前記情報記憶媒体の前記チャージ金額情報を更新するチャージ金額更新手段（５５）と、して機能させること、を特徴とする制御プログラムである。
第９の発明は、交通手段で用いる交通運賃に関する情報として、使用可能回数を含む電子回数券情報を記憶する設定情報記憶部（３６ａ）を備え、利用者が携行する情報記憶媒体（３）であって、前記交通運賃に関する情報を設定するための設定画面を出力する設定画面出力部（３１）と、前記設定画面出力部により出力された前記設定画面における入力を受け付けて、前記設定情報記憶部を更新する設定情報更新部（３３）と、を備えること、を特徴とする情報記憶媒体である。
第１０の発明は、第９の発明の情報記憶媒体（３）において、前記情報記憶媒体は、携帯端末であり、前記設定情報記憶部（３６ａ）は、セキュアな記憶領域であること、を特徴とする情報記憶媒体である。
【発明の効果】
【０００８】
本発明によれば、回数券を簡単に使用可能な電子回数券使用システム、制御プログラム及び情報記憶媒体を提供することができる。
【図面の簡単な説明】
【０００９】
【図１】第１実施形態に係る電子回数券使用システムの全体構成を示す図である。
【図２】第１実施形態に係る設定情報記憶部の例を示す図である。
【図３】第１実施形態に係る携帯端末の設定プログラム処理を示すフローチャートである。
【図４】第１実施形態に係る携帯端末での表示例を示す図である。
【図５】第１実施形態に係る携帯端末の回数券購入処理を示すフローチャートである。
【図６】第１実施形態に係る携帯端末での表示例を示す図である。
【図７】第１実施形態に係る電子回数券使用システムの改札ゲート処理を示すフローチャートである。
【図８】第１実施形態に係るリーダライタの運賃精算処理を示すフローチャートである。
【図９】第１実施形態に係るリーダライタの回数券使用判断処理を示すフローチャートである。
【図１０】第１実施形態に係るリーダライタでの運賃精算処理の具体例を説明するための図である。
【図１１】第２実施形態に係る携帯端末での表示例を示す図である。
【図１２】第２実施形態に係るリーダライタの回数券使用判断処理を示すフローチャートである。
【図１３】第２実施形態に係るリーダライタでの運賃精算処理の具体例を説明するための図である。
【発明を実施するための形態】
【００１０】
以下、本発明を実施するための形態について、図を参照しながら説明する。なお、これは、あくまでも一例であって、本発明の技術的範囲はこれに限られるものではない。
（第１実施形態）
図１は、第１実施形態に係る電子回数券使用システム１００の全体構成を示す図である。
図２は、第１実施形態に係る設定情報記憶部３６ａの例を示す図である。
【００１１】
図１に示す電子回数券使用システム１００は、携帯端末３（情報記憶媒体）を用いた利用者に対して、携帯端末３から運賃精算を最適に行うシステムである。
電子回数券使用システム１００は、リーダライタ５を有する改札ゲート１と、携帯端末３とを備えている。
改札ゲート１は、交通手段の一例である鉄道の各駅の改札に設けられて、利用者の入場及び出場と、運賃の管理とを行うゲート型の装置である。入場とは、乗車駅の改札ゲート１を通過して利用者が駅構内に入ることをいい、出場とは、降車駅の改札ゲート１を通過して利用者が駅構内から出ることをいう。改札ゲート１は、リーダライタ５の他、ゲート制御部１０と、ゲート記憶部１５とを備える。
【００１２】
リーダライタ５は、携帯端末３とのインタフェースを行う。
リーダライタ５は、制御部５０と、記憶部６０と、アンテナ部６８とを備える。
制御部５０は、リーダライタ５の全体を制御するＣＰＵ（中央処理装置）である。制御部５０は、記憶部６０に記憶されているＯＳ（オペレーティングシステム）やアプリケーションプログラムを適宜読み出して実行することにより、上述したハードウェアと協働し、各種機能を実行する。
【００１３】
制御部５０は、乗車情報取得部５１（乗車情報取得手段）と、定期券判断部５２（定期券判断手段）と、回数券使用判断部５３（回数券使用判断手段）と、回数券更新部５４（回数券更新手段）と、チャージ金額更新部５５（チャージ金額更新手段）と、履歴書込部６６（履歴書込手段）とを備える。
制御部５０は、アンテナ部６８を介して携帯端末３との間で非接触通信を行う。そして、携帯端末３を有する利用者が改札ゲート１を通過して入場する際に、携帯端末３に対して駅名及び日時を出力する。
【００１４】
リーダライタ５の乗車情報取得部５１は、出場時には、入場時に携帯端末３に記憶された駅名及び日時を含む入場情報を読み取って、この入場情報と、このリーダライタ５の設置位置である出場駅名を含む出場情報とから、乗車情報を取得する制御部である。乗車情報は、利用区間及び利用運賃のうち少なくともいずれかに関する情報である。
定期券判断部５２は、携帯端末３が電子定期券情報（以下、携帯端末３に記憶している電子定期券情報を、単に定期券ともいう。）を記憶している場合に、その定期券のみの使用が可能か否かを判断する制御部である。定期券のみの使用が可能である場合とは、利用区間が定期券の範囲内である場合をいう。よって、利用区間が定期券の範囲外を少しでも含む場合は、定期券のみの使用が可能ではないと判断する。
【００１５】
回数券使用判断部５３は、携帯端末３に記憶された電子回数券情報（以下、携帯端末３に記憶している電子回数券情報を、単に回数券ともいう。）の使用が可能か否かを判断する制御部である。この例では、回数券は、額面（利用可能運賃情報）指定のものである。
回数券使用判断部５３は、合致判断部５３ａ（合致判断手段）と、履歴判断部５３ｂ（履歴判断手段）と、回数券使用決定部５３ｃ（回数券使用決定手段）とを備える。
合致判断部５３ａは、乗車情報取得部５１が取得した乗車情報が、携帯端末３に記憶された回数券に合致するものであるか否かを判断する制御部である。ここで、乗車情報が回数券に合致するとは、乗車情報に含まれる利用運賃と、回数券の額面とが同一である場合をいう。
履歴判断部５３ｂは、合致判断部５３ａにより、乗車情報が回数券に合致するものではないと判断された場合に、使用履歴に基づいて回数券の使用頻度を分析する。そして、履歴判断部５３ｂは、回数券に含む有効期限、残数（使用可能回数）及び使用頻度に基づいて、回数券を使用するか否かを判断する制御部である。
【００１６】
回数券使用決定部５３ｃは、乗車情報が回数券に合致するものであると判断された場合に、回数券の使用を決定する制御部である。
また、回数券使用決定部５３ｃは、合致判断部５３ａにより、乗車情報が回数券に合致するものではないと判断された場合であっても、回数券に含む有効期限までの残り期間に応じて、回数券の使用を決定する。
さらに、回数券使用決定部５３ｃは、合致判断部５３ａにより、乗車情報が回数券に合致するものではないと判断された場合であっても、乗車情報に含まれる利用運賃が回数券の額面より高いことに応じて、回数券の使用を決定する。
さらにまた、回数券使用決定部５３ｃは、履歴判断部５３ｂにより、回数券を使用すると判断された場合に、回数券の使用を決定する。
【００１７】
回数券更新部５４は、回数券使用判断部５３が回数券の使用を決定した場合に、回数券を使用し、携帯端末３に記憶されている回数券の残数を１つ減算して更新する制御部である。
チャージ金額更新部５５は、回数券使用判断部５３が回数券の使用を決定しなかった場合に、携帯端末３に記憶されているチャージ金額情報（以下、携帯端末３に記憶しているチャージ金額情報を、単にチャージ金額ともいう。）を使用する。そして、チャージ金額更新部５５は、携帯端末３に記憶されているチャージ金額を、乗車情報に含まれる利用運賃分だけ減算して更新する制御部である。
履歴書込部６６は、出場時に、回数券やチャージ金額の使用履歴を、携帯端末３に書き込ませる制御部である。
【００１８】
記憶部６０は、制御部５０を実行するために必要なプログラム、データ等を記憶するためのハードディスク、半導体メモリ素子等の記憶領域である。
なお、本発明でいうコンピュータとは、制御部、記憶装置等を備えた情報処理装置をいい、リーダライタ５は、制御部５０、記憶部６０等を備えた情報処理装置であり、本発明のコンピュータの概念に含まれる。
記憶部６０は、制御プログラム６１と、駅名６２とを記憶している。
制御プログラム６１は、上述の制御部５０の機能を実行するプログラムである。
駅名６２は、この改札ゲート１が設置されている駅の名前である。
アンテナ部６８は、例えば、ループアンテナであり、携帯端末３との間で通信できる。これらの間の通信は、例えば、数ｍｍ〜数十ｍｍ程度である。
【００１９】
ゲート制御部１０は、改札ゲート１の全体を制御するＣＰＵである。ゲート制御部１０は、ゲート記憶部１５に記憶されているＯＳやアプリケーションプログラムを適宜読み出して実行することにより、上述したハードウェアと協働し、各種機能を実行する。
ゲート制御部１０は、例えば、リーダライタ５から許可情報を受け付けることで、利用者の通過が可能なようにゲートを開放する。
また、ゲート制御部１０は、現在の日時を取得する日時取得機能を備える。日時取得機能は、ゲート制御部１０が時計を有することで実現してもよいし、標準電波の送信局から送信される原子時計による日時情報のデジタル信号を受信することで実現してもよい。
ゲート記憶部１５は、ゲート制御部１０が各種の処理を実行するために必要なプログラム、データ等を記憶するためのハードディスク、半導体メモリ素子等の記憶領域である。
【００２０】
携帯端末３は、利用者が所持する装置であり、例えば、スマートフォン等の携帯電話機である。
携帯端末３は、制御部３０と、記憶部３５と、セキュアエレメント部３６と、タッチパネル部３７と、アンテナ部３８と、通信Ｉ／Ｆ（インタフェース）部３９とを備える。
【００２１】
制御部３０は、携帯端末３の全体を制御するＣＰＵである。制御部３０は、記憶部３５に記憶されているＯＳやアプリケーションプログラムを適宜読み出して実行することにより、上述したハードウェアと協働し、各種機能を実行する。
制御部３０は、設定画面出力部３１と、設定情報受付部３２と、設定情報更新部３３とを備える。
設定画面出力部３１は、交通運賃に関する情報を設定するための設定画面を出力する制御部である。交通運賃に関する情報は、後述するが、定期券購入、回数券購入、チャージ、回数券使用のための設定等である。
設定情報受付部３２は、設定画面出力部３１により出力された設定画面における入力を受け付ける制御部である。
設定情報更新部３３は、設定情報受付部３２が受け付けた入力に基づいて、設定情報記憶部３６ａを更新する制御部である。
【００２２】
記憶部３５は、制御部３０を実行するために必要なプログラム、データ等を記憶するための半導体メモリ素子等の記憶領域である。
記憶部３５は、設定プログラム３５ａを記憶する。
設定プログラム３５ａは、上述の制御部３０の機能を実行するプログラムである。
セキュアエレメント部３６は、情報をセキュアに記憶する記憶領域である。セキュアエレメント部３６は、例えば、セキュアな記憶媒体であるＵＩＭ（Ｕｓｅｒ  Ｉｄｅｎｔｉｔｙ  Ｍｏｄｕｌｅ）や、Ｆｅｌｉｃａ（登録商標）チップにより構成されてもよい。
セキュアエレメント部３６は、設定情報記憶部３６ａを記憶する。
【００２３】
設定情報記憶部３６ａは、図２に示すように、回数券を含む交通運賃に関する各種の情報を記憶する。
設定情報記憶部３６ａには、チャージ金額、クレジットカード情報の他、回数券、定期券、設定、履歴の各項目を有する。各項目に対応する内容は、後述する設定プログラム３５ａにより設定及び記憶される。なお、履歴として設定情報記憶部３６ａに記憶するのは、直前の例えば１０件程度とする。そして、それ以前の履歴は、改札ゲート１に対して通信ネットワークを介して接続されたサーバ（図示せず）に記憶させてもよい。設定情報記憶部３６ａに記憶する履歴の件数は、設定情報記憶部３６ａの記憶容量によって変更してもよい。
【００２４】
図１に戻り、タッチパネル部３７は、液晶パネル等で構成される表示部としての機能と、利用者の指等によるタッチ入力を検出する入力部としての機能とを有する。
アンテナ部３８は、例えば、ループアンテナであり、リーダライタ５との間で通信できる。これらの間の通信は、例えば、数ｍｍ〜数十ｍｍ程度である。
アンテナ部３８は、例えば、リーダライタ５に対して、セキュアエレメント部３６の設定情報記憶部３６ａに記憶されている交通運賃に関する各種情報を出力したり、リーダライタ５から情報を入力したりするためのインタフェースである。
アンテナ部３８は、例えば、非接触で通信を行うＮＦＣ（Ｎｅａｒ  Ｆｉｅｌｄ  Ｃｏｍｍｕｎｉｃａｔｉｏｎ）チップや、Ｆｅｌｉｃａチップにより構成されてもよい。
ＮＦＣチップは、ＮＦＣの仕様により作成されたＩＣ（Ｉｎｔｅｇｒａｔｅｄ  Ｃｉｒｃｕｉｔ）チップである。ＮＦＣの規格（通信規格）（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。ＮＦＣチップは、ＮＦＣの規格による通信を利用して、リーダライタ５との通信を行う。
また、Ｆｅｌｉｃａチップは、Ｆｅｌｉｃａ機能が組み込まれたＩＣチップである。Ｆｅｌｉｃａチップは、情報をセキュアに記憶する記憶領域である不揮発メモリと、無線通信チップとを内蔵している。Ｆｅｌｉｃａの規格（通信規格）では、１３．５６ＭＨｚの電磁波で通信し、１００ｍｍ程度のごく近距離での通信が可能である。
通信Ｉ／Ｆ部３９は、インターネット網等による無線通信を行うインタフェースである。
【００２５】
次に、携帯端末３での交通運賃に関する設定方法について説明する。携帯端末３の制御部３０は、入場前（改札ゲート１を通過する前）に、設定プログラム３５ａを実行し、交通運賃に関する設定をする。そうすることで、携帯端末３の設定情報記憶部３６ａには、交通運賃に関する各種の情報が記憶される。設定及び記憶された携帯端末３を使用して、利用者は、運賃精算を可能にできる。
図３は、第１実施形態に係る携帯端末３の設定プログラム処理を示すフローチャートである。
図４は、第１実施形態に係る携帯端末３での表示例を示す図である。
図５は、第１実施形態に係る携帯端末３の回数券購入処理を示すフローチャートである。
図６は、第１実施形態に係る携帯端末３での表示例を示す図である。
【００２６】
図３のステップＳ（以下、「Ｓ」という。）１０において、利用者が、例えば、携帯端末３のタッチパネル部３７に表示された設定プログラム３５ａの起動アイコン（図示せず）を選択することで、制御部３０は、設定プログラム３５ａを起動する。ここで、設定プログラム３５ａは、例えば、通信Ｉ／Ｆ部３９を介して通信可能なアプリダウンロードサイト（図示せず）からダウンロードすることで、タッチパネル部３７に設定できる。
Ｓ１１において、携帯端末３の制御部３０は、図４（Ａ）に示すようなメニュー画面４１を、タッチパネル部３７に表示させる。メニュー画面４１には、サービスを提供する各種の項目名にリンクが張られている。利用者が項目名をタップ（選択）することで、制御部３０は、リンク先に遷移させる。
【００２７】
Ｓ１２において、利用者が購入のリンク４１ａをタップすることで、制御部３０は、メニュー画面４１から購入が選択されたか否かを判断する。購入が選択された場合（Ｓ１２：ＹＥＳ）には、制御部３０は、処理をＳ１３に移す。他方、購入が選択されていない場合（Ｓ１２：ＮＯ）には、制御部３０は、処理をＳ１６に移す。
Ｓ１３において、制御部３０は、定期券又は回数券のいずれかを選択可能なサブメニュー画面（図示せず）から、回数券が選択されたか否かを判断する。回数券が選択された場合（Ｓ１３：ＹＥＳ）には、制御部３０は、処理をＳ１４に移す。他方、回数券が選択されていない場合（Ｓ１３：ＮＯ）には、制御部３０は、処理をＳ１５に移す。回数券が選択されていない場合（Ｓ１３：ＮＯ）とは、定期券が選択されている場合である。
【００２８】
Ｓ１４において、制御部３０は、回数券購入処理を行う。
ここで、回数券購入処理について、図５に基づき説明する。
図５のＳ２０において、制御部３０（設定画面出力部３１）は、タッチパネル部３７に、図４（Ｂ）に示すような回数券購入画面４２を表示させる。回数券購入画面４２で購入可能な回数券は、この例では、「○△電鉄」で利用可能であり、携帯端末３の設定情報記憶部３６ａに記憶するものである。そして、回数券購入画面４２は、入力可能な購入額を、例えば、プルダウンメニュー表示により、利用者が選択可能になっている。
Ｓ２１において、利用者が購入額を入力後、「購入」ボタン４２ｂをタップすることで、制御部３０（設定情報受付部３２）は、「購入」を受け付けたか否かを判断する。「購入」を受け付けた場合（Ｓ２１：ＹＥＳ）には、制御部３０は、処理をＳ２２に移す。他方、「購入」を受け付けていない場合（Ｓ２１：ＮＯ）には、制御部３０は、処理をＳ２１にとどまらせ、「購入」を受け付けるのを待つ。
Ｓ２２において、制御部３０（設定情報更新部３３）は、設定情報記憶部３６ａを更新する。具体的には、図２の（＃１）に示す設定情報記憶部３６ａの回数券情報を更新する。
【００２９】
Ｓ２３において、制御部３０（設定画面出力部３１）は、タッチパネル部３７に、図６に示すような設定画面４５を表示させる。
設定画面４５は、回数券をいつ使用するか等の使用条件を設定するものである。この例の場合は、「回数券区間以上の場合には、回数券を使う。」と、「過去の履歴から回数券を利用するかを決める。」とにチェックが入っている。よって、利用者が、例えば、○△電鉄線の１９０円区間を利用した場合には、１６０円の回数券を有しているので、それを使うように設定されている。その場合、不足分（３０円分）は、チャージ金額を使用することになる。
他方、設定画面４５において、「回数券を利用するか毎回選択させる。」にチェックを入れた場合について説明する。その場合には、出場時の改札ゲート１において、リーダライタ５と携帯端末３とが通信をすることで、携帯端末３の制御部３０は、毎回、携帯端末３に回数券を利用するか否かを、利用者に選択させるような画面（図示せず）を出力する。そして、携帯端末３からの指示をリーダライタ５が受け付けて、リーダライタ５の制御部５０は、回数券を利用するか否かを判断することになる。
【００３０】
図５に戻り、Ｓ２４において、利用者が設定情報のうち必要な項目にチェックを入れて、「設定」ボタン４５ｂ（図６）をタップすることで、制御部３０（設定情報受付部３２）は、「設定」を受け付けたか否かを判断する。「設定」を受け付けた場合（Ｓ２４：ＹＥＳ）には、制御部３０は、処理をＳ２５に移す。他方、「設定」を受け付けていない場合（Ｓ２４：ＮＯ）には、制御部３０は、処理をＳ２４にとどまらせ、「設定」を受け付けるのを待つ。
Ｓ２５において、制御部３０（設定情報更新部３３）は、設定情報記憶部３６ａを更新する。具体的には、図２の（＃２）に示す設定情報記憶部３６ａの設定情報を更新する。その後、制御部３０は、処理を図３のＳ１７に移す。
【００３１】
図３に戻り、Ｓ１５において、制御部３０は、定期券購入処理を行う。定期券購入処理において、制御部３０は、図４（Ｃ）に示す定期券購入画面４３をタッチパネル部３７に出力する。利用者は、区間（範囲）、開始日及び期間を入力後、「購入」ボタン４３ｂをタップすることで、定期券を購入できる。その後、制御部３０は、処理をＳ１７に移す。
Ｓ１６において、制御部３０は、その他のメニュー処理を行う。その他のメニューは、図４（Ａ）に示すチャージ、履歴確認、詳細確認、設定である。利用者によりチャージ、履歴確認が選択された場合には、制御部３０は、各々図４（Ｄ）、（Ｅ）に示す画面を出力する。なお、詳細確認については、購入済の定期券や回数券の情報、チャージ金額を表示するものであるが、その記載を省略する。また、設定は、上述で設定した回数券の使用条件を変更したい場合等に行うものであり、制御部３０は、図６に示す設定画面４５を表示させる。
【００３２】
Ｓ１７において、制御部３０は、設定プログラム３５ａを終了するか否かを判断する。これは、例えば、利用者が、設定プログラムの終了を選択した場合である。設定プログラム３５ａを終了する場合（Ｓ１７：ＹＥＳ）には、制御部３０は、処理をＳ１８に移す。他方、設定プログラムを終了しない場合（Ｓ１７：ＮＯ）には、制御部３０は、処理をＳ１１に移す。
Ｓ１８において、制御部３０は、起動中の設定プログラム３５ａを終了させる。その後、制御部３０は、本処理を終了する。
【００３３】
次に、利用者が設定プログラム３５ａにより交通運賃に関する設定がされた携帯端末３を用いて、電車を利用する場合の処理について説明する。
図７は、第１実施形態に係る電子回数券使用システム１００の改札ゲート処理を示すフローチャートである。
まず、利用者による改札ゲート１への入場時の処理を、図７（Ａ）に基づき説明する。
Ｓ４１において、利用者は、携帯端末３を改札ゲート１のリーダライタ５に近づける（タッチする）ことで、携帯端末３とリーダライタ５との間で非接触通信が行われる。
Ｓ４２において、リーダライタ５の制御部５０は、記憶部６０に記憶された改札ゲート１が設置されている駅名６２と、日時取得機能により取得した現在の日時とを出力する。その後、制御部５０は、本処理を終了する。
Ｓ４３において、携帯端末３の制御部３０は、アンテナ部３８を介してリーダライタ５から出力された駅名及び日時を受け付ける。
Ｓ４４制御部３０は、受け付けた駅名及び日時を、設定情報記憶部３６ａの履歴に記憶させる。その後、制御部３０は、本処理を終了する。
【００３４】
次に、利用者による改札ゲート１への出場時の処理を、図７（Ｂ）に基づき説明する。
Ｓ５１において、利用者は、携帯端末３を改札ゲート１のリーダライタ５に近づける（タッチする）ことで、携帯端末３とリーダライタ５との間で非接触通信が行われる。
Ｓ５２において、リーダライタ５の制御部５０は、携帯端末３のセキュアエレメント部３６の設定情報記憶部３６ａに記憶された情報を読み取る。
Ｓ５３において、制御部５０は、後述する運賃精算処理を行う。
Ｓ５４において、制御部５０（履歴書込部５６）は、Ｓ５３において作成された書換情報を出力する。その後、制御部５０は、本処理を終了する。
Ｓ５５において、携帯端末３の制御部３０は、アンテナ部３８を介してリーダライタ５から出力された書換情報を受け付ける。
Ｓ５６において、制御部３０は、書換情報に基づき、設定情報記憶部３６ａを更新する。その後、制御部３０は、本処理を終了する。
【００３５】
なお、入場時、出場時共に、リーダライタ５及び携帯端末３での処理が正常に終了すると、リーダライタ５は、携帯端末３から更新終了の通知を受け付けて、許可情報を改札ゲート１に通知する。そうすることで、改札ゲート１のゲート制御部１０は、ゲートを開放し、利用者を通過可能にできる。
【００３６】
次に、出場時の処理である運賃精算処理について説明する。
図８は、第１実施形態に係るリーダライタ５の運賃精算処理を示すフローチャートである。
図９は、第１実施形態に係るリーダライタ５の回数券使用判断処理を示すフローチャートである。
図８のＳ６０において、リーダライタ５の制御部５０（乗車情報取得部５１）は、乗車情報を取得する。制御部５０は、読み取った入場情報と、記憶部６０の駅名６２とから、利用区間及び利用運賃を算出することで取得できる。
Ｓ６１において、制御部５０は、設定情報記憶部３６ａに、定期券を有しているか否かを判断する。定期券を有している場合（Ｓ６１：ＹＥＳ）には、制御部５０は、処理をＳ６２に移す。他方、定期券を有していない場合（Ｓ６１：ＮＯ）には、制御部５０は、処理をＳ６５に移す。
【００３７】
Ｓ６２において、制御部５０（定期券判断部５２）は、取得した乗車情報に含む利用区間が定期券の範囲を含むか否かを判断する。定期券の範囲を含む場合（Ｓ６２：ＹＥＳ）には、制御部５０は、処理をＳ６３に移す。他方、定期券の範囲を含まない場合（Ｓ６２：ＮＯ）には、制御部５０は、処理をＳ６５に移す。
Ｓ６３において、制御部５０は、定期券を使用する。つまり、制御部５０は、乗車情報から定期券の範囲内を削除する処理を行う。ここで、乗車情報が定期券の範囲内であり、範囲外がなければ、乗車情報は空（ブランク）になる。よって、制御部５０は、処理済と判断できる。なお、定期券の使用履歴は、この例では、携帯端末３に書き込ませず、リーダライタ５と通信ネットワークを介して接続されたサーバ（図示せず）にのみ記憶させる。
Ｓ６４において、制御部５０は、取得した乗車情報が定期券の範囲外を含むか否かを判断する。定期券の範囲外を含む場合（Ｓ６４：ＹＥＳ）には、制御部５０は、処理をＳ６５に移す。他方、定期券の範囲外を含まない場合（Ｓ６４：ＮＯ）には、制御部５０は、本処理を終了し、図７に戻る。
【００３８】
Ｓ６５において、制御部５０（回数券使用判断部５３）は、設定情報記憶部３６ａに、回数券情報を有しているか否かを判断する。回数券情報を有している場合（Ｓ６５：ＹＥＳ）には、制御部５０は、処理をＳ６６に移す。他方、回数券情報を有していない場合（Ｓ６５：ＮＯ）には、制御部５０は、処理をＳ７０に移す。
Ｓ６６において、制御部５０は、回数券使用判断処理を行う。
【００３９】
ここで、回数券使用判断処理について、図９に基づき説明する。
図９のＳ８０において、制御部５０（合致判断部５３ａ）は、乗車情報が回数券に合致するか否かを判断する。乗車情報が回数券に合致する場合（Ｓ８０：ＹＥＳ）には、制御部５０は、処理をＳ８１に移す。他方、乗車情報が回数券に合致しない場合（Ｓ８０：ＮＯ）には、制御部５０は、処理をＳ８２に移す。
Ｓ８１において、制御部５０（回数券使用決定部５３ｃ）は、回数券の使用を決定する。その後、制御部５０は、処理を図８に移す。
【００４０】
Ｓ８２において、制御部５０は、乗車情報が回数券よりも高いか否かを判断する。乗車情報が回数券よりも高い場合（Ｓ８２：ＹＥＳ）には、制御部５０は、処理をＳ８３に移す。他方、乗車情報が回数券よりも高くない場合（Ｓ８２：ＮＯ）には、制御部５０は、処理をＳ８４に移す。
Ｓ８３において、制御部５０（回数券使用決定部５３ｃ）は、回数券の使用を決定する。その後、制御部５０は、処理を図８に移す。
【００４１】
Ｓ８４において、制御部５０は、回数券の有効期限が所定期間以内（例えば、現在より１０日以内）であって、回数券を優先的に使用する範囲内であるか否かを判断する。回数券の有効期限が所定期間以内である場合（Ｓ８４：ＹＥＳ）には、制御部５０は、処理をＳ８５に移す。他方、回数券の有効期限が所定期間以内ではない場合（Ｓ８４：ＮＯ）には、制御部５０は、処理をＳ８８に移す。
Ｓ８５において、制御部５０（履歴判断部５３ｂ）は、使用履歴に基づく使用頻度を分析する。なお、この分析については、後述する。
Ｓ８６において、制御部５０（履歴判断部５３ｂ）は、分析結果から回数券を使用するか否かを判断する。回数券を使用する場合（Ｓ８６：ＹＥＳ）には、制御部５０は、処理をＳ８７に移す。他方、回数券を使用しない場合（Ｓ８６：ＮＯ）には、制御部５０は、処理をＳ８８に移す。
Ｓ８７において、制御部５０（回数券使用決定部５３ｃ）は、回数券の使用を決定する。その後、制御部５０は、処理を図８に移す。
Ｓ８８において、制御部５０は、回数券を使用しないことを決定する。その後、制御部５０は、処理を図８に移す。
【００４２】
図８に戻り、Ｓ６７において、制御部５０（回数券使用判断部５３）は、回数券を使う決定がされたか否かを判断する。回数券を使う決定がされた場合（Ｓ６７：ＹＥＳ）には、制御部５０は、処理をＳ６８に移す。他方、回数券を使う決定がされなかった場合（Ｓ６７：ＮＯ）には、制御部５０は、処理をＳ７０に移す。
Ｓ６８において、制御部５０（回数券更新部５４）は、回数券を使用する。つまり、制御部５０は、回数券によって乗車情報に含む利用区間の運賃精算をするため、回数券の残数を１減算した書換情報を作成する。また、制御部５０は、書換情報として、回数券を使用した旨を追加した履歴情報を作成する。なお、設定情報記憶部３６ａの記憶容量の関係から、図７（Ｂ）のＳ５６において、制御部３０は、古い履歴情報を、リーダライタ５と通信ネットワークを介して接続されたサーバ（図示せず）に記憶させる。
【００４３】
Ｓ６９において、制御部５０は、チャージ金額も使用するか否かを判断する。チャージ金額も使用する場合（Ｓ６９：ＹＥＳ）には、制御部５０は、処理をＳ７０に移す。他方、チャージ金額を使用しない場合（Ｓ６９：ＮＯ）には、制御部５０は、本処理を終了し、図７に移す。
Ｓ７０において、制御部５０（チャージ金額更新部５５）は、チャージ金額を使用する。つまり、制御部５０は、不足分のチャージ金額を減算した書換情報を作成する。そして、制御部５０は、書換情報として、チャージ金額を使用した旨を追加した履歴情報を作成する。その後、制御部５０は、本処理を終了し、処理を図７に移す。
【００４４】
次に、具体例を用いて、上述の処理を説明する。
図１０は、第１実施形態に係るリーダライタ５での運賃精算処理の具体例を説明するための図である。
ここでは、利用者が図２に示す設定情報記憶部３６ａを有する携帯端末３を使用して、電車を利用する例で説明する。
（Ａ）利用者が「○△電鉄」のＡ駅で入場し、Ｃ駅で出場した場合、Ｃ駅の改札ゲート１では、リーダライタ５は、定期券を使用する（図８のＳ６２がＹＥＳ）。定期券の使用によって運賃精算ができるので（図８のＳ６４がＮＯ）、回数券やチャージ金額は、使用しない。
【００４５】
（Ｂ）利用者が「○△電鉄」のＡ駅で入場し、Ｅ駅で出場した場合、Ｅ駅の改札ゲート１では、リーダライタ５は、定期券を使用する（図８のＳ６２がＹＥＳ）。また、定期券を使用しても、乗車情報には不足分（１６０円）があるので（図８のＳ６４がＹＥＳ）、リーダライタ５は、回数券使用判断処理を行う（図８のＳ６５がＹＥＳ）。定期券の範囲外の乗車情報（Ｃ駅〜Ｅ駅：１６０円）が回数券（額面１６０円）に合致するので（図９のＳ８０がＹＥＳ）、回数券の使用が決定され、チャージ金額は使われない（図８のＳ６９がＮＯ）。
（Ｃ）利用者が「○△電鉄」のＡ駅で入場し、Ｆ駅で出場した場合、Ｆ駅の改札ゲート１では、リーダライタ５は、定期券を使用する（図８のＳ６２がＹＥＳ）。また、定期券を使用しても、乗車情報には不足分（１９０円）があるので（図８のＳ６４がＹＥＳ）、リーダライタ５は、回数券使用判断処理を行う（図８のＳ６５がＹＥＳ）。定期券の範囲外の乗車情報（Ｃ駅〜Ｆ駅：１９０円）が回数券（額面１６０円）よりも高いので（図９のＳ８２がＹＥＳ）、回数券を使用し、さらに不足分（３０円）を、チャージ金額を使って精算する（図８のＳ６９がＹＥＳ）。
【００４６】
（Ｄ）利用者が「○△電鉄」のＡ駅で入場し、Ｄ駅で出場した場合、Ｄ駅の改札ゲート１では、リーダライタ５は、定期券を使用する（図８のＳ６２がＹＥＳ）。また、定期券を使用しても、乗車情報には不足分（１３０円）があるので（図８のＳ６４がＹＥＳ）、リーダライタ５は、回数券使用判断処理を行う（図８のＳ６５がＹＥＳ）。定期券の範囲外の乗車情報（Ｃ駅〜Ｄ駅：１３０円）が回数券（額面１６０円）よりも安いので（図９のＳ８２がＮＯ）、リーダライタ５は、過去の回数券の使用頻度や、有効期限等から回数券を使用するか否かを判断する（図９のＳ８４以降）。回数券を使用すると判断した場合（図９のＳ８７）には、定期券の範囲を除く乗車情報（１３０円）を、回数券（額面１６０円）を使って精算する。また、回数券を使用しないと判断した場合（図９のＳ８８）には、定期券の範囲を除く乗車情報（１３０円）を、チャージ金額を使って精算する。
【００４７】
なお、過去の回数券の使用から判断する例として、以下のような方法がある。
（１）当日から過去一週間の履歴を参照して、「○△電鉄」を利用した際の回数券の使用数をカウントする。
（２）回数券の残数をａ、カウントした過去の回数券の使用数をｂとした場合、ａ≧ｂの条件を満たすか否かを判断する。
（３）ａ≧ｂの条件を満たす場合には、回数券を使用すると判断する。それ以外の場合には、回数券を使用しないと判断する。これは、今回回数券を使用しないと、有効期限に達した際に未使用の回数券が残る可能性があると判断するためである。
ここで、過去一週間の履歴ではなく、有効期限までの日数分さかのぼった履歴にしてもよい。
このようにすることで、効率よく回数券を使用できる。
【００４８】
このように、第１実施形態によれば、電子回数券使用システム１００は、以下のような効果がある。
（１）携帯端末３に回数券を記憶させ、乗車情報と回数券とが合致する場合には、回数券を利用して改札ゲート１の通過ができる。よって、従来の紙による回数券と同様に回数券を簡単に使用でき、しかも、紙の管理における煩雑さを解消できる。
（２）携帯端末３にチャージ金額をさらに記憶させることで、回数券を使用しない場合には、チャージ金額を使用して、改札ゲート１の通過ができる。
よって、回数券と、チャージ金額とを一緒に記憶するので、携帯端末３のみで改札ゲート１の通過が可能になる。
【００４９】
（３）乗車情報と回数券とが合致しない場合であっても、回数券の有効期限までの残り期間が短ければ回数券を使用することを決定する。よって、有効期限が差し迫った場合には、回数券を優先的に使用するようにすることで、回数券を有効に使いきることができる。
さらに、過去の使用履歴を分析することで、回数券を使うか否かを判断するので、より有効に回数券を使用することができる。
（４）乗車情報と回数券とが合致しない場合であっても、乗車情報に含む利用運賃が回数券の額面より高い場合には、回数券を使用させることができる。よって、効率よく回数券を使用できる。
【００５０】
（５）定期券を含め、携帯端末３に交通運賃に関する情報を記憶できる。よって、携帯端末３で交通運賃に関する一元管理が可能になる。よって、定期券を含め、回数券をより最適に使用できる。
（６）携帯端末３で、交通運賃に関する情報の設定ができるので、時間や場所を問わず、行えるので便利である。また、携帯端末３のセキュアな記憶領域に設定情報を記憶させるので、セキュリティ性が向上する。
【００５１】
（第２実施形態）
第１実施形態では、額面指定の回数券の例を説明した。第２実施形態では、区間指定の回数券の例を説明する。なお、以降の説明において、上述した第１実施形態と同様の機能を果たす部分には、同一の符号又は末尾に同一の符号を付して、重複する説明を適宜省略する。
【００５２】
図１１は、第２実施形態に係る携帯端末３での表示例を示す図である。
図１１（Ａ）は、回数券購入画面２４２を示す。この回数券購入画面２４２からの購入処理は、図３の設定プログラム処理で、同様に行うことができる。
回数券購入画面２４２で購入可能な回数券は、この例では、「×○鉄道」で利用可能であり、携帯端末３の設定情報記憶部３６ａに記憶するものである。そして、回数券購入画面２４２は、入力可能な駅名を、例えば、プルダウンメニュー表示により、利用者が選択可能になっている。
【００５３】
次に、設定プログラム３５ａにより交通運賃に関する設定がされた携帯端末３を用いて、電車を利用する場合の処理について説明する。
改札ゲート処理、運賃精算処理は、図７、図８と同様である。
図１２は、第２実施形態に係るリーダライタ５の回数券使用判断処理を示すフローチャートである。これは、図１１（Ｂ）に示す設定がされていた場合の処理である。
図１２のＳ２８０、Ｓ２８１は、図９のＳ８０、８１と同様である。
Ｓ２８２において、制御部５０は、乗車情報が回数券の範囲を含むか否かを判断する。回数券の範囲を含む場合（Ｓ２８２：ＹＥＳ）には、制御部５０は、処理をＳ２８４に移す。他方、回数券の範囲を含まない場合（Ｓ２８２：ＮＯ）には、制御部５０は、処理をＳ２８８に移す。なお、乗車情報が回数券の範囲を含むとは、乗車情報が回数券の範囲内である場合と、乗車情報の区間の少なくとも一方が回数券の範囲を超えている場合とのいずれをも含むものをいう。
Ｓ２８４からＳ２８８までは、図９のＳ８４からＳ８８までと同様である。
【００５４】
次に、具体例を用いて、上述の処理を説明する。
図１３は、第２実施形態に係るリーダライタ５での運賃精算処理の具体例を説明するための図である。
ここでは、利用者の携帯端末３が「Ｑ駅〜Ｓ駅」の区間指定の回数券を記憶しており、定期券を記憶していないものとして説明する。
（Ａ）利用者が「×○鉄道」のＱ駅で入場し、Ｓ駅で出場した場合、Ｓ駅の改札ゲート１では、リーダライタ５は、定期券がないと判断する（図８のＳ６１がＮＯ）。次に、リーダライタ５は、回数券使用判断処理を行う（図８のＳ６５がＹＥＳ）。乗車情報（Ｑ駅〜Ｓ駅）が回数券（Ｑ駅〜Ｓ駅）に合致するので（図１２のＳ２８０がＹＥＳ）、回数券の使用が決定され、チャージ金額は使われない（図８のＳ６９がＮＯ）。
【００５５】
（Ｂ）利用者が「×○鉄道」のＰ駅で入場し、Ｓ駅で出場した場合、Ｓ駅の改札ゲート１では、リーダライタ５は、定期券がないと判断する（図８のＳ６１がＮＯ）。次に、リーダライタ５は、回数券使用判断処理を行う（図８のＳ６５がＹＥＳ）。乗車情報（Ｐ駅〜Ｓ駅）が回数券（Ｑ駅〜Ｓ駅）に合致しない（図１２のＳ２８０がＮＯ）が、回数券の範囲を含むので、（図１２のＳ２８２がＹＥＳ）、リーダライタ５は、過去の回数券の使用頻度や、有効期限等から回数券を使用するか否かを判断する（図１２のＳ２８４以降）。回数券を使用すると判断した場合（図１２のＳ２８７）には、回数券（Ｑ駅〜Ｓ駅）を使用して、不足分（Ｐ駅〜Ｑ駅分：１５０円）を、チャージ金額を使って精算する（図８のＳ６９がＹＥＳ）。また、回数券を使用しないと判断した場合（図１２のＳ２８８）には、乗車情報（Ｐ駅〜Ｓ駅分：１９０円）を、チャージ金額を使って精算する。
【００５６】
（Ｃ）利用者が「×○鉄道」のＱ駅で入場し、Ｒ駅で出場した場合、Ｒ駅の改札ゲート１では、リーダライタ５は、定期券がないと判断する（図８のＳ６１がＮＯ）。次に、リーダライタ５は、回数券使用判断処理を行う（図８のＳ６５がＹＥＳ）。乗車情報（Ｑ駅〜Ｒ駅）が回数券（Ｑ駅〜Ｓ駅）に合致しない（図１２のＳ２８０がＮＯ）が、回数券の範囲を含むので、（図１２のＳ２８２がＹＥＳ）、リーダライタ５は、過去の回数券の使用頻度や、有効期限等から回数券を使用するか否かを判断する（図１２のＳ２８４以降）。回数券を使用すると判断した場合（図１２のＳ２８７）には、回数券（Ｑ駅〜Ｓ駅）を使用して、処理を終了する（図８のＳ６９がＮＯ）。また、回数券を使用しないと判断した場合（図１２のＳ２８８）には、乗車情報（Ｑ駅〜Ｒ駅：１３０円）を、チャージ金額を使って精算する。
【００５７】
（Ｄ）利用者が「×○鉄道」のＰ駅で入場し、Ｔ駅で出場した場合、Ｔ駅の改札ゲート１では、リーダライタ５は、定期券がないと判断する（図８のＳ６１がＮＯ）。次に、リーダライタ５は、回数券使用判断処理を行う（図８のＳ６５がＹＥＳ）。乗車情報（Ｐ駅〜Ｔ駅）が回数券（Ｑ駅〜Ｓ駅）に合致しない（図１２のＳ２８０がＮＯ）が、回数券の範囲を含むので、（図１２のＳ２８２がＹＥＳ）、リーダライタ５は、過去の回数券の使用頻度や、有効期限等から回数券を使用するか否かを判断する（図１２のＳ２８４以降）。回数券を使用すると判断した場合（図１２のＳ２８７）には、回数券（Ｑ駅〜Ｓ駅）を使用して、不足分（Ｐ駅〜Ｑ駅：１５０円と、Ｓ駅〜Ｔ駅：１３０円の計２８０円）を、チャージ金額を使って精算する（図８のＳ６９がＹＥＳ）。また、回数券を使用しないと判断した場合（図１２のＳ２８８）には、乗車情報（Ｐ駅〜Ｔ駅：３００円）を、チャージ金額を使って精算する。
【００５８】
このように、回数券が、区間指定のものであって、入場駅及び出場駅が記載されているものである場合には、例えば、乗車情報が回数券の区間を一部でも含めば、所定の条件を満たすことで回数券を使用させることができる。よって、回数券を有効に使いきることができ、使用期限切れになって回数券が無駄なる、といったことを防止できる。
【００５９】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００６０】
（変形形態）
（１）各実施形態では、携帯端末で行うもので説明した。しかし、これに限定されるものではない。例えば、ＩＣカードであってもよい。その場合には、携帯端末で行っていた設定を、自動券売機、自動精算機等で設定プログラムを実行して行えばよい。
また、リーダライタとの通信を非接触式で行うものとして説明したが、例えば、ＩＣカードや磁気カードを用いた接触式の通信を行うものでもよい。
（２）第１実施形態では、額面指定の回数券を使用する場合を説明し、第２実施形態では、区間指定の回数券を使用する場合を説明した。しかし、両者を同時に行うものであってもよい。
（３）第１実施形態では、携帯端末が定期券と回数券とを記憶している場合について説明した。しかし、これに限定されるものではない。例えば、回数券のみを記憶していてもよい。
【００６１】
（４）各実施形態では、改札ゲートにリーダライタを有する鉄道を例に説明した。しかし、これに限定されるものではない。改札ゲートの開放等の処理は行わないが、例えば、バスであってもよい。その場合には、リーダライタが記憶する駅名を、ＧＰＳ（Ｇｌｏｂａｌ  Ｐｏｓｉｔｉｏｎｉｎｇ  Ｓｙｓｔｅｍ）によって取得し、又は運転手が手動にて設定した停留所名にすればよい。また、バスの乗車時及び降車時に、設定情報記憶部３６ａの履歴に記憶された最新の乗車情報を照会し、その内容から、乗車であるか、降車であるかを判断すればよい。
（５）各実施形態では、リーダライタに駅名を記憶する例を説明した。しかし、これに限定されるものではない。改札ゲートに駅名を記憶して、ゲート制御部を介して駅名を取得するようにしてもよい。
【符号の説明】
【００６２】
１    改札ゲート
３    携帯端末
５    リーダライタ
３０，５０  制御部
３１  設定画面出力部
３２  設定情報受付部
３３  設定情報更新部
３５，６０  記憶部
３５ａ  設定プログラム
３６  セキュアエレメント部
３６ａ  設定情報記憶部
３８，６８  アンテナ部
５１  乗車情報取得部
５２  定期券判断部
５３  回数券使用判断部
５３ａ  合致判断部
５３ｂ  履歴判断部
５３ｃ  回数券使用決定部
５４  回数券更新部
５５  チャージ金額更新部
５６  履歴書込部
６１  制御プログラム
６２  駅名
１００  電子回数券使用システム
【図１】
2015082232.tif 000003
【図２】
2015082232.tif 000004
【図３】
2015082232.tif 000005
【図４】
2015082232.tif 000006
【図５】
2015082232.tif 000007
【図６】
2015082232.tif 000008
【図７】
2015082232.tif 000009
【図８】
2015082232.tif 000010
【図９】
2015082232.tif 000011
【図１０】
2015082232.tif 000012
【図１１】
2015082232.tif 000013
【図１２】
2015082232.tif 000014
【図１３】
2015082232.tif 000015